【誤訳訂正書】
【提出日】令和1年6月21日(2019.6.21)
【誤訳訂正１】
【訂正対象書類名】特許請求の範囲
【訂正対象項目名】全文
【訂正方法】変更
【訂正の内容】
【特許請求の範囲】
【請求項１】
チタン、マグネシウム、ハロゲン及び内部電子供与体Ａを含む、プロペン重合のための触媒成分であって、前記内部電子供与体Ａが、式Ｉで示される化合物から選択され、
【化５】
2017513998.tif 000001
式Ｉにおいて、Ｒが、水素、ヒドロキシル、及び置換又は非置換Ｃ１−Ｃ３０ヒドロカルビルからなる群から選択され、Ｒ１及びＲ２が、相互に同じ又は異なり、水素、及び置換又は非置換のＣ１−Ｃ３０ヒドロカルビルからなる群から選択され、
前記触媒成分がエステル、エーテル、ケトン及びアミンから成る群より選択される少なくとも１つである内部電子供与体Ｂをさらに含む、触媒成分。
【請求項２】
Ｒが、水素、ヒドロキシル、置換又は非置換のＣ１−Ｃ２０アルキル、置換又は非置換のＣ６−Ｃ３０アリール、置換又は非置換のＣ６−Ｃ３０ヘテロアリール、置換又は非置換のＣ７−Ｃ３０アルキルアリール及び置換又は非置換のＣ７−Ｃ３０アリールアルキルからなる群から選択され、
Ｒ１及びＲ２が、相互に同じ又は異なってよく、水素、置換又は非置換のＣ１−Ｃ２０アルキル、置換又は非置換のＣ６−Ｃ３０アリール、置換又は非置換のＣ７−Ｃ３０アルキルアリール及び置換又は非置換のＣ７−Ｃ３０アリールアルキルからなる群から選択される、請求項1に記載の触媒成分。
【請求項３】
Ｒが、水素、ヒドロキシル、Ｃ１−Ｃ１０アルキル、ハロゲン置換又はヒドロキシ置換のＣ６−Ｃ１０アリール、ハロゲン置換又はヒドロキシ置換のＣ６−Ｃ１５ヘテロアリール、ハロゲン置換又はヒドロキシ置換のＣ７−Ｃ１５アリールアルキル及びハロゲン置換又はヒドロキシ置換のＣ７−Ｃ１５アルキルアリールからなる群から選択され、
Ｒ１及びＲ２が、相互に同じ又は異なってよく、水素、Ｃ１−Ｃ１０アルキル、置換又は非置換のＣ６−Ｃ２０アリール、置換又は非置換のＣ７−Ｃ２０アルキルアリール及び置換又は非置換のＣ７−Ｃ２０アリールアルキルからなる群から選択される、請求項１または２に記載の触媒成分。
【請求項４】
前記内部電子供与体Ａが式ＩＩで示される化合物から選択され、
【化６】
2017513998.tif 000002
式ＩＩにおいて、
Ｒが、水素、ヒドロキシル、及び置換又は非置換のＣ１−Ｃ３０ヒドロカルビルからなる群から選択され、
Ｒ２が、水素、及び置換又は非置換のＣ１−Ｃ３０ヒドロカルビルからなる群から選択され、
Ｒ３−Ｒ７が、相互に同じ又は異なってよく、それぞれ水素、ハロゲン原子、ヒドロキシル、Ｃ１−Ｃ１０アルキル、Ｃ１−Ｃ１０アルコキシ、Ｃ６−Ｃ１０アリール、Ｃ７−Ｃ１２アルキルアリール、Ｃ７−Ｃ１２アリールアルキル及びＣ２−Ｃ１２アルケニルからなる群から独立して選択され、Ｒ３−Ｒ７が、任意選択的に共に結合して環を形成することができる、請求項１〜３のいずれか一項に記載の触媒成分。
【請求項５】
式ＩＩにおいて、
Ｒが、水素、ヒドロキシル、置換又は非置換のＣ１−Ｃ２０アルキル、置換又は非置換のＣ６−Ｃ３０アリール、置換又は非置換のＣ６−Ｃ３０ヘテロアリール、置換又は非置換のＣ７−Ｃ３０アルキルアリール及び置換又は非置換のＣ７−Ｃ３０アリールアルキルからなる群から選択され、
Ｒ２が、水素、置換又は非置換のＣ１−Ｃ２０アルキル、置換又は非置換のＣ６−Ｃ３０アリール、置換又は非置換のＣ７−Ｃ３０アルキルアリール及び置換又は非置換のＣ７−Ｃ３０アリールアルキルからなる群からなる群から選択され、
Ｒ３−Ｒ７が、相互に同じ又は異なってよく、それぞれ、水素、ハロゲン原子、ヒドロキシル、Ｃ１−Ｃ６アルキル、Ｃ１−Ｃ６アルコキシ、フェニル、Ｃ７−Ｃ１２アルキルフェニル、Ｃ７−Ｃ１２フェニルアルキル及びＣ２−Ｃ６アルケニルからなる群から独立して選択される、請求項４に記載の触媒成分。
【請求項６】
式ＩＩにおいて、
Ｒが、水素、ヒドロキシル、Ｃ１−Ｃ１０アルキル、ハロゲン置換又はヒドロキシ置換のＣ６−Ｃ１０アリール、ハロゲン置換又はヒドロキシ置換のＣ６−Ｃ１５ヘテロアリール、ハロゲン置換又はヒドロキシ置換のＣ７−Ｃ１５アリールアルキル及びハロゲン置換又はヒドロキシ置換のＣ７−Ｃ１５アルキルアリールからなる群から選択され、
Ｒ２が、水素、Ｃ１−Ｃ１０アルキル、置換又は非置換のＣ６−Ｃ２０アリール、置換又は非置換のＣ７−Ｃ２０アルキルアリール及び置換又は非置換のＣ７−Ｃ２０アリールアルキルからなる群から選択される、請求項４または５に記載の触媒成分。
【請求項７】
前記内部電子供与体ＡがＮ−ブチリデンアニリン、２，６−ジメチル−Ｎ−ブチリデンアニリン、４−クロロ−Ｎ−ブチリデンアニリン、Ｎ−（２−メチルプロピリデン）アニリン、Ｎ−ブチリデンパラブロモアニリン、２，６−ジイソプロピル−Ｎ−（２−メチルプロピリデン）アニリン、２，６−ジイソプロピル−Ｎ−ブチリデンアニリン、４−トリフルオロメチル−Ｎ−ブチリデンアニリン、２，４，６−トリメチル−Ｎ−ブチリデンアニリン、Ｎ−（２−メチルプロピリデン）−１−ブチルアミン、Ｎ−（２−メチルプロピリデン）−２−ブチルアミン、Ｎ−ヘキシリデン−１−ヘキシルアミン、Ｎ−ヘキシリデン−１−オクチルアミン、Ｎ−ペンチリデン−１−オクチルアミン、２，６−ジイソプロピル−Ｎ−ヘプタメチレンアニリン、２，６−ジイソプロピル−Ｎ−（２，２−ジフェニルエチリデン）アニリン、２，６−ジメチル−Ｎ−（２，２−ジフェニルエチリデン）アニリン、Ｎ−（２−フェニルエチリデン）−８−アミノキノリン、Ｎ−ブチリデン−３−アミノキノリン、２，６−ジメチル−Ｎ−ヘキシリデンアニリン、２，６−ジイソプロピル−Ｎ−ヘキシリデンアニリン、２，６−ジイソプロピル−Ｎ−（２−メチルプロピリデン）アニリン、２，６−ジメチル−Ｎ−（２−メチルプロピリデン）アニリン、２，６−ジイソプロピル−Ｎ−（ジフェニルメチレン）アニリン、２，６−ジメチル−Ｎ−（ジフェニルメチレン）アニリン、２，６−ジイソプロピル−Ｎ−（２−フェニルエチリデン）アニリン、２，６−ジメチル−Ｎ−（２−フェニルエチリデン）アニリン、４−メチル−Ｎ−（３−ヘプタメチレン）アニリン、Ｎ−ヘプタメチレンアニリン、２，６−ジイソプロピル−Ｎ−ペンチリデンアニリン、２，６−ジイソプロピル−Ｎ−（２−ペンチリデン）アニリン、Ｎ−（３−ペンチリデン）−１−ナフチルアミン、Ｎ−（４−ヘプタメチレン）−１−ナフチルアミン、４−ヒドロキシ−Ｎ−ジフェニルメチレン−１−ナフチルアミン、Ｎ−ジフェニルメチレンベンジルアミン、Ｎ−（２−フェニルエチリデン）ベンジルアミン、２，６−ジメチル−Ｎ−（２，２−ジフェニルエチリデン）アニリン、２，６−ジイソプロピルＮ−（２，２−ジフェニルエチリデン）アニリン、Ｎ−（２，２−ジフェニルエチリデン）アニリン、Ｎ−（２，２−ジフェニルエチリデン）−８−アミノキノリン、Ｎ−（２，２−ジフェニルエチリデン）−３−アミノキノリン、２−（フェニルイミノ）メチル−４−tert−ブチルフェノール、２−（フェニルイミノ）メチル−４，６−ジ−tert−ブチルフェノール、２−（フェニルイミノ）メチル−４−クロロフェノール、２−（フェニルイミノ）メチル−４−フルオロフェノール、２−（フェニルイミノ）メチル−４，６−ジクロロフェノール、２−（フェニルイミノ）メチル−４−メチルフェノール、２−（フェニルイミノ）メチル−４−イソプロピルフェノール、２−（フェニルイミノ）メチルフェノール、２−（フェニルイミノ）メチル−４−フェニルフェノール、２−（２，６−ジイソプロピルフェニルイミノ）メチル−４，６−ジメチルフェノール、２−（２，６−ジイソプロピルフェニルイミノ）メチル−６−フェニルフェノール、２−（２，６−ジイソプ���ピルフェニルイミノ）メチル−４−イソプロピルフェノール、２−（ブチルイミノ）メチル−４−tert−ブチルフェノール、２−（ブチルイミノ）メチル−４，６−ジ−tert−ブチルフェノール、２−（ヘキシルイミノ）メチル−４−tert−ブチルフェノール、２−（ヘキシルイミノ）メチル−４，６−ジ−tert−ブチルフェノール］、２−（オクチルイミノ）メチル−４−tert−ブチルフェノール、２−（オクチルイミノ）メチル−４，６−ジ−tert−ブチルフェノール、２−（２，６−ジイソプロピルフェニルイミノ）メチル−４−tert−ブチルフェノール、２−（２，６−ジイソプロピルフェニルイミノ）メチル−４，６−ジ−tert−ブチルフェノール、２−（フェニルイミノ）メチル−４，６−ジ−tert−ブチルフェノール、２−（フェニルイミノ）メチル−６−tert−ブチルフェノール、２−（２，６−ジイソプロピルフェニルイミノ）メチル−４，６−ジメチルフェノール、２−（２，６−ジメチルフェニルイミノ）メチル−４−ジ−tert−ブチルフェノール、２−（２，６−ジメチルフェニルイミノ）メチル−４，６−ジ−tert−ブチルフェノール、Ｎ−（２−メトキシ−５−tert−ブチルフェニルメチレン）−２，６−ジイソプロピルアニリン、Ｎ−（２−メトキシ−５−tert−ブチルフェニルメチレン）−２，６−ジメチルアニリン、２−（２，６−ジメチルフェニルイミノ）メチル−４−メトキシ−６−tert−ブチルフェノール、Ｎ−フェニルメチレン−２，６−ジイソプロピルアニリン、２−（４−クロロフェニルイミノ）メチル−４，６−ジ−tert−ブチルフェノール、Ｎ−ｐ−クロロフェニルメチレン−２，６−ジイソプロピルアニリン、Ｎ−（４−tert−ブチルフェニルメチレン）−２，６−ジイソプロピルアニリン、Ｎ−フェニルメチレン−２，６−ジメチルアニリン、Ｎ−（２，４−ジクロロフェニルメチレン）−２，６−ジメチルアニリン、Ｎ−（３，５−ジ−tert−ブチルフェニルメチレン）アニリン、Ｎ−（２，４，６−トリフルオロフェニルメチレン）−２，６−ジメチルアニリン、２−（２，３，４，５，６−ペンタフルオロフェニルイミノ）メチル−４，６−ジ−tert−ブチルフェノール、Ｎ−（２−メトキシナフチルメチレン）−２，６−ジイソプロピルアニリン、２−（２，６−ジイソプロピルフェニルイミノ）メチルフェノール、２−（２，６−ジメチルフェニルイミノ）メチル−６−tert−ブチルフェノール、２−（２，６−ジイソプロピルフェニルイミノ）メチル−６−tert−ブチルフェノール、Ｎ−（２−メトキシ−３−tert−ブチルフェニルメチレン）−２，６−ジイソプロピルアニリン、Ｎ−（３，５−ジ−tert−ブチルフェニルメチレン）−１−ナフチルアミン、Ｎ−（３，５−ジ−tert−ブチルフェニルメチレン）−２−ナフチルアミン、２−（２−ナフチルイミノ）メチルフェノール、２−（４−キノリルイミノ）メチル−４，６−ジ−tert−ブチルフェノール、２−（３−キノリルイミノ）メチル−４，６−ジ−tert−ブチルフェノール、２−（８−キノリルイミノ）メチル−４，６−ジ−tert−ブチルフェノール、Ｎ−（２−ナフチルメチレン）−２，６−ジイソプロピルアニリン、Ｎ−（１−ナフチルメチレン）−２，６−ジイソプロピルアニリン、Ｎ−（１−ナフチルメチレン）−２，６−���メチルアニリン、Ｎ−（２−アントリルメチレン）−２，６−ジイソプロピルアニリン、Ｎ−（１−アントリルメチレン）−２，６−ジメチルアニリン、２−（２−ベンジルイミノ）−４，６−ジ−tert−ブチルフェノール、２−（３，５−ジ−tert−ブチル−２ヒドロキシ）ベンジルイミノフェノール及び２−（３，５−ジ−tert−ブチル−２ヒドロキシ−ベンジルイミノ−１−ナフトールからなる群より選択される少なくとも１つである、請求項１から３のいずれか一項に記載の触媒成分。
【請求項８】
前記内部電子供与体Ｂが、ポリカルボン酸エステル化合物、ジオールエステル化合物及びジエーテル化合物からなる群から選択される少なくとも１つである、請求項１から７のいずれか一項に記載の触媒成分。
【請求項９】
前記内部電子供与体Ｂが、式ＩＩＩで示されるジオールエステル化合物及び式ＩＶで示されるジエーテル化合物からなる群： 
【化７】
2017513998.tif 000003
（式ＩＩＩにおいて、
Ｒ１′及びＲ２′が、相互に同じ又は異なってよく、Ｃ１−Ｃ２０アルキル、Ｃ６−Ｃ２０アリール、Ｃ７−Ｃ２０アリールアルキル及びＣ７−Ｃ２０アルキルアリールからなる群から独立して選択され、
Ｒ３′−Ｒ６′が、相互に同じ又は異なってよく、水素、Ｃ１−Ｃ２０アルキル、Ｃ６−Ｃ２０アリール及びＣ２−Ｃ１２アルケニルからなる群から独立して選択され、
ＲＩ及びＲＩＩが、相互に同じ又は異なってよく、水素、Ｃ１−Ｃ２０アルキル、Ｃ１−Ｃ２０シクロアルキル、Ｃ６−Ｃ２０アリール、Ｃ７−Ｃ２０アリールアルキル、Ｃ９−Ｃ２０縮合環ヒドロカルビル及びＣ２−Ｃ１２アルケニルからなる群から独立して選択され、
Ｒ３′、Ｒ４′、Ｒ５′、Ｒ６′、ＲＩ及びＲＩＩが、任意選択的に共に結合されて環を形成することができ、ｎが０から１０の整数である。）
【化８】
2017513998.tif 000004
（式ＩＶにおいて、
Ｒ８及びＲ９が、相互に同じ又は異なってよく、Ｃ１−Ｃ２０アルキルから独立して選択され、
ＲＩＩＩ−ＲＶＩが、相互に同じ又は異なってよく、水素、Ｃ１−Ｃ２０アルキル、Ｃ１−Ｃ２０シクロアルキル、Ｃ６−Ｃ２０アリール、Ｃ６−Ｃ２０アルキルアリール、Ｃ６−Ｃ２０アリールアルキル及びＣ２−Ｃ１２アルケニルからなる群から独立して選択され、
ＲＩＩＩ−ＲＶＩが、任意選択的に共に結合されて環を形成することができ、ｎが０から１０の整数である。）
から選択される少なくとも１つである、請求項１〜８のいずれか一項に記載の触媒成分。
【請求項１０】
式ＩＩＩにおいて、
Ｒ１′及びＲ２′が、相互に同じ又は異なってよく、Ｃ１−Ｃ６アルキル、フェニル、置換フェニル及びシンナミルからなる群から独立して置換され、
Ｒ３′−Ｒ６′が、相互に同じ又は異なってよく、水素、Ｃ１−Ｃ６アルキル、フェニル、置換フェニル及びＣ２−Ｃ６アルケニルからなる群から独立して選択され、
ＲＩ及びＲＩＩが、相互に同じ又は異なってよく、水素、Ｃ１−Ｃ６アルキル、Ｃ１−Ｃ６シクロアルキル、ベンジル、フェニル、置換フェニル、ナフチル及びＣ２−Ｃ６アルケニルからなる群から独立して選択され、
ｎは０から２の整数であり、
Ｒ３′、Ｒ４′、Ｒ５′、Ｒ６′、ＲＩ及びＲＩＩが、任意選択的に共に結合されて、脂環又は芳香環を形成することができ、
式ＩＶにおいて、
Ｒ８及びＲ９が、相互に同じ又は異なってよく、Ｃ１−Ｃ６アルキルから独立して選択され、
ＲＩＩＩ−ＲＶＩが、相互に同じ又は異なってよく、水素、Ｃ１−Ｃ６アルキル、Ｃ３−Ｃ６シクロアルキル、フェニル、置換フェニル、ベンジル、ナフタレン及びＣ２−Ｃ６アルケニルからなる群から独立して選択され、
ｎが０から２の整数であり、
ＲＩＩＩ−ＲＶＩが、任意選択的に共に結合されて脂環又は芳香環を形成することができる、請求項９に記載の触媒成分。
【請求項１１】
前記内部電子供与体Ｂが、
２，３−ビス（２−エチルブチル）コハク酸ジエチルエステル、２，３−ジエチル−２−イソプロピルコハク酸ジエチルエステル、２，３−ジイソプロピルコハク酸ジエチルエステル、２，３−ジ−tert−ブチルコハク酸ジエチルエステル、２，３−ジイソブチルコハク酸ジエチルエステル、２，３−（ビストリメチルシリルアルキル）コハク酸ジエチルエステル、２−（３，３，３−トリフルオロプロピル）−３−メチルコハク酸ジエチルエステル、２，３−ジネオペンチルコハク酸ジエチルエステル、２，３−ジイソペンチルコハク酸ジエチルエステル、２，３−（１−トリフルオロメチル−エチル）コハク酸ジエチルエステル、２−イソプロピル−３−イソブチルコハク酸ジエチルエステル、２−tert−ブチル−３−イソプロピルコハク酸ジエチルエステル、２−イソプロピル−３−シクロヘキシルコハク酸ジエチルエステル、２−イソペンチル−３−シクロヘキシルコハク酸ジエチルエステル、２，２，３，３−テトラメチルコハク酸ジエチルエステル、２，２，３，３−テトラエチルコハク酸ジエチルエステル、２，２，３，３−テトラプロピルコハク酸ジエチルエステル、２，３−ジエチル−２，３−ジイソプロピルジコハク酸ジエチルエステル、２，３−ビス（２−エチルブチル）コハク酸ジイソブチルエステル、２，３−ジエチル−２−イソプロピルコハク酸ジイソブチルエステル、２，３−ジイソプロピルコハク酸ジイソブチルエステル、２，３−ジ−tert−ブチルコハク酸ジイソブチルエステル、２，３−ジイソブチルコハク酸ジイソブチルエステル、２，３−（ビストリメチルシリルアルキル）コハク酸ジイソブチルエステル、２−（３，３，３−トリフルオロプロピル）−３−メチルコハク酸ジイソブチルエステル、２，３−ジネオペンチルコハク酸ジイソブチルエステル、２，３−ジイソペンチルコハク酸ジイソブチルエステル、２，３−（１−トリフルオロメチル−エチル）コハク酸ジイソブチルエステル、２−イソプロピル−３−イソブチルコハク酸ジイソブチルエステル、２−tert−ブチル−３−イソプロピルコハク酸ジイソブチルエステル、２−イソプロピル−３−シクロヘキシルコハク酸ジイソブチルエステル、２−イソペンチル−３−シクロヘキシルコハク酸ジイソブチルエステル、２，２，３，３−テトラメチルコハク酸ジイソブチルエステル、２，２，３，３−テトラエチルコハク酸ジイソブチルエステル、２，２，３，３−テトラプロピルコハク酸ジイソブチルエステル、２，３−ジエチル−２，３−ジイソプロピルジコハク酸ジイソブチルエステル、ジエチルフタラート、ジプロピルフタラート、ジイソブチルフタラート、ジ−ｎ−ブチルフタラート、ジ−ｎ−ペンチルフタラート、ジイソペンチルフタラート、ジネオペンチルフタラート、ジヘキシルフタラート、ジヘプチルフタラート、ジオクチルフタラート、ジノニルフタラート、ジイソブチル２−メチルフタラート、ジ−ｎ−ブチル２−メチルフタラート、ジイソブチル２−プロピルフタラート、ジ−ｎ−ブチル２−プロピルフタラート、ジイソブチル２−ブチルフタラート、ジ−ｎ−ブチル２−ブチルフタラート、ジイソブチル２−プロピルフタラート、ジ−ｎ−ブチル２−プロピルフタラート、ジイソブチル４−プロピルフタ��ート、ジ−ｎ−ブチル４−ブチルフタラート、ジイソブチル２−クロロフタラート、ジ−ｎ−ブチル２−クロロフタラート、ジイソブチル４−クロロフタラート、ジ−ｎ−ブチル４−クロロフタラート及びジ−ｎ−ブチル４−メトキシフタラートからなる群から選択される請求項１〜８のいずれか一項に記載の内部電子供与体Ｂであるか、
または
２−イソプロピル−１，３−ジベンゾイルオキシプロパン、２−ブチル−１，３−ジベンゾイルオキシプロパン、２−シクロヘキシル−１，３−ジベンゾイルオキシプロパン、２−ベンジル−１，３−ジベンゾイルオキシプロパン、２−フェニル−１，３−ジベンゾイルオキシプロパン、２−（１−ナフチル）−１，３−ジベンゾイルオキシプロパン、２−イソプロピル−１，３−ジエチルカルボキシルプロパン、２−イソプロピル−２−イソペンチル−１，３−ジベンゾイルオキシプロパン、２−イソプロピル−２−イソブチル−１，３−ジベンゾイルオキシプロパン、２−イソプロピル−２−イソペンチル−１，３−ジ（４−ブチルベンゾイルオキシ）プロパン、２−イソプロピル−２−イソペンチル−１，３−ジプロピルカルボキシルプロパン、２−イソプロピル−２−ブチル−１，３−ジベンゾイルオキシプロパン、２−イソプロピル−２−イソペンチル−１−ベンゾイルオキシ−３−ブチルカルボキシルプロパン、２−イソプロピル−２−イソペンチル−１−ベンゾイルオキシ−３−シンナミルカルボキシルプロパン、２−イソプロピル−２−イソペンチル−１−ベンゾイルオキシ−３−エチルカルボキシルプロパン、２，２−ジシクロペンチル−１，３−フェニルカルボキシルプロパン、２，２−ジシクロヘキシル−１，３−フェニルカルボキシルプロパン、２，２−ジブチル−１，３−フェニルカルボキシルプロパン、２，２−ジイソブチル−１，３−フェニルカルボキシルプロパン、２，２−ジイソプロピル−１，３−ジフェニルカルボキシルプロパン、２，２−ジエチル−１，３−ジフェニルカルボキシルプロパン、２−エチル−２−ブチル−１，３−ジフェニルカルボキシルプロパン、２，４−ジベンゾイルオキシペンタン、３−エチル−２，４−ジベンゾイルオキシペンタン、３−メチル−２，４−ジベンゾイルオキシペンタン、３−プロピル−２，４−ジベンゾイルオキシペンタン、３−イソプロピル−２，４−ジベンゾイルオキシペンタン、２，４−ジ（２−プロピルベンゾイルオキシ）ペンタン、２，４−ジ（４−プロピルベンゾイルオキシ）ペンタン、２，４−ジ（２，４−ジメチルベンゾイルオキシ）ペンタン、２，４−ジ（２，４−ジクロロベンゾイルオキシ）ペンタン、２，４−ジ（４−クロロベンゾイルオキシ）ペンタン、２，４−ジ（４−イソプロピルベンゾイルオキシ）ペンタン、２，４−ジ（４−ブチルベンゾイルオキシ）ペンタン、２，４−ジ（４−イソブチルベンゾイルオキシ）ペンタン、３，５−ジベンゾイルオキシヘプタン、４−エチル−３，５−ジベンゾイルオキシヘプタン、４−プロピル−３，５−ジベンゾイルオキシヘプタン、４−イソプロピル−３，５−ジベンゾイルオキシヘプタン、３，５−ジ（４−プロピルベンゾイルオキシ）ヘプタン、３，５−ジ（４−イソプロピルベンゾイルオキシ）ヘプタン、３，５−ジ（４−イソブチルベンゾイルオキシ）ヘプタン、３，５−ジ（４−ブチルベンゾイルオキシ）ヘプタン、２−ベンゾイルオキシ−４−（４−イソブチルベンゾイルオキシ）ペンタン、２−ベンゾイルオキシ−４−（４−ブチルベンゾイルオキシ）ペンタン、２−ベンゾイルオキシ−４−（４−プロピルベンゾイルオキシ）ペンタン、３−ベンゾイルオキシ−５−（４−イソブチルベンゾイルオキシ）ヘプタン、３−ベンゾイルオキシ−５−（４−ブチルベンゾイルオキシ）ヘプタン、３−ベンゾイルオキシ−５−（４−プロピルベンゾイルオキシ）ヘプタン、９，９−ジベンゾイルオキシメチルフルオレン、９，９−ジ（プロピルカルボキシルメチル）フルオレン、９，９−ジ（イソブチルカルボキシルメチル）フルオレン、９，９−ジ（ブチルカルボキシルメチル）フルオレン、９，９−ジベンゾイルオキシメチル−４−tert−ブチルフルオレン、９，９−ジベンゾイルオキシメチル−４−プロピルフルオレン、９，９−ジベンゾイルオキシメチル−１，２，３，４−テトラヒドロフルオレン、９，９−ジベンゾイルオキシメチル−１，２，３，４，５，６，７，８−オクタヒドロフルオレン、９，９−ジベンゾイルオキシメチル−２，３，６，７−ジフェニルプロピリデン、９，９−ジベンゾイルオキシメチル−１，８−ジクロロフルオレン、７，７−ジベンゾイルオキシメチル−２，５−ジノルボルナジエン、１，４−ジベンゾイルオキシブタン、２，３−ジイソプロピル−１，４−ジベンゾイルオキシブタン、２，３−ジブチル−１，４−ジベンゾイルオキシブタン、１，２−ジベンゾイルオキシベンゼン、３−エチル−１，２−ジベンゾイルオキシベンゼン、１，２−ジ（ｎ−ブチルベンゾイルオキシ）ベンゼン、１，２−ジ（イソプロピルベンゾイルオキシ）ベンゼン、３−ｎ−プロピル−１，２−ジベンゾイルオキシベンゼン、３−イソプロピル−１，２−ジベンゾイルオキシベンゼン、３−イソブチル−１，２−ジベンゾイルオキシベンゼン、３−ｎ−プロピル−１，２−ジ（ｎ−プロピルベンゾイルオキシ）ベンゼン、３−プロピル−１，２−ジ（ｎ−ブチルベンゾイルオキシ）ベンゼン、３−イソプロピル−１，２−ジ（ｎ−プロピルベンゾイルオキシ）ベンゼン、３−イソプロピル−１，２−ジ（ｎ−ブチルベンゾイルオキシ）ベンゼン、３−イソプロピル−１，２−ジ（イソプロピルベンゾイルオキシ）ベンゼン、３−イソブチル−１，２−ジ（ｎ−プロピルベンゾイルオキシ）ベンゼン、３−イソブチル−１，２−ジ（ｎ−ブチルベンゾイルオキシ）ベンゼン、３−イソブチル−１，２−ジ（イソプロピルベンゾイルオキシ）ベンゼン、３−プロピル−１，２−ジ（ｎ−プロピルベンゾイルオキシ）ベンゼン、４−ブチル−１，２−ジベンゾイルオキシベンゼン、１，８−ジベンゾイルオキシナフタレン、２−エチル−１，８−ジベンゾイルオキシナフタレン、２−プロピル−１，８−ジベンゾイルオキシナフタレン、２−ブチル−１，８−ジベンゾイルオキシナフタレン、４−ブチル−１，８−ジベンゾイルオキシナフタレン、４−イソブチル−１，８−ジベンゾイルオキシナフタレン、４−イソプロピル−１，８−ジベンゾイルオキシナフタレン、２−プロピル−１，８−ジベンゾイルオキシナフタレン及び４−プロピル−１，８−ジベンゾイルオキシナフタレンからなる群から選択される少なくとも１つである請求項１〜１０のいずれかに記載の内部電子供与体Ｂであるか、
または
２−イソプロピル−１，３−ジメトキシプロパン、２−ブチル−１，３−ジメトキシプロパン、２−シクロヘキシル−１，３−ジメトキシプロパン、２−ベンジル−１，３−ジメトキシプロパン、２−フェニル−１，３−ジメトキシプロパン、２−（１−ナフチル）−１，３−ジメトキシプロパン、２−イソプロピル−２−イソペンチル−１，３−ジメトキシプロパン、２−イソプロピル−２−イソブチル−１，３−ジメトキシプロパン、２−イソプロピル−２−ブチル−１，３−ジメトキシプロパン、２，２−ジシクロペンチル−１，３−ジベンゾイルオキシプロパン、２，２−ジシクロヘキシル−１，３−ジメトキシプロパン、２，２−ジブチル−１，３−ジメトキシプロパン、２，２−ジイソブチル−１，３−ジメトキシプロパン、２，２−ジイソプロピル−１，３−ジメトキシプロパン、２，２−ジエチル−１，３−ジメトキシプロパン、２−エチル−２−ブチル−１，３−ジメトキシプロパン、２，４−ジメトキシペンタン、３−エチル−２，４−ジメトキシペンタン、３−メチル−２，４−ジメトキシペンタン、３−プロピル−２，４−ジメトキシペンタン、３−イソプロピル−２，４−ジメトキシペンタン、３，５−ジメトキシヘプタン、４−エチル−３，５−ジメトキシヘプタン、４−プロピル−３，５−ジメトキシヘプタン、４−イソプロピル−３，５−ジメトキシヘプタン、９，９−ジメトキシメチルフルオレン、９，９−ジメトキシメチル−４−tert−ブチルフルオレン、９，９−ジメトキシメチル−４−プロピルフルオレン、９，９−ジメトキシメチル−１，２，３，４−テトラヒドロフルオレン、９，９−ジメトキシメチル−１，２，３，４，５，６，７，８−オクタヒドロフルオレン、９，９−ジメトキシメチル−２，３，６，７−ジフェニルプロピリデン、９，９−ジメトキシメチル−１，８−ジクロロフルオレン、７，７−ジメトキシメチル−２，５−ジノルボルナジエン、１，４−ジメトキシブタン、２，３−ジイソプロピル−１，４−ジメトキシシブタン、２，３−ジブチル−１，４−ジメトキシシブタン、１，２−ジメトキシベンゼン、３−エチル−１，２−ジメトキシベンゼン、４−ブチル−１，２−ジメトキシベンゼン、１，８−ジメトキシナフタレン、２−エチル−１，８−ジメトキシナフタレン、２−プロピル−１，８−ジメトキシナフタレン、２−ブチル−１，８−ジメトキシナフタレン、４−ブチル−１，８−ジメトキシナフタレン、４−イソブチル−１，８−ジメトキシナフタレン、４−イソプロピル−１，８−ジメトキシナフタレン及び４−プロピル−１，８−ジメトキシナフタレンからなる群より選択される少なくとも１つである請求項１〜１０のいずれかに記載の内部電子供与体Ｂである、請求項１〜１０のいずれか一項に記載の触媒成分。
【請求項１２】
前記内部電子供与体Ｂが前記触媒成分の０．０１〜２０重量％を占め、及び／又は内部電子供与体Ａ対内部電子供与体Ｂのモル比が１：１０から１０：１の範囲であり、前記内部電子供与体Ａが前記触媒成分の０．０１〜２０重量％を占める、請求項１から１１のいずれか一項に記載の触媒成分。
【請求項１３】
前記内部電子供与体Ｂが前記触媒成分の１〜１５重量％を占め、及び／又は内部電子供与体Ａ対内部電子供与体Ｂのモル比が０．２：１から１：５の範囲であり、前記内部電子供与体Ａが前記触媒成分の０．５〜１５重量％を占める、請求項１２に記載の触媒成分。
【請求項１４】
内部電子供与体Ａ対内部電子供与体Ｂのモル比が０．５：１から２：１の範囲であり、前記内部電子供与体Ａが前記触媒成分の２〜１０重量％を占める、請求項１２または１３に記載の触媒成分。
【請求項１５】
少なくとも１つのマグネシウム化合物及び少なくとも１つのチタン化合物を、少なくとも１つの内部電子供与体化合物と接触させて、触媒成分を調製する工程を含み、
前記内部電子供与体化合物が、内部電子供与体Ａ及び内部電子供与体Ｂを含み、
前記内部電子供与体Ａが式Ｉで示される化合物から選択される少なくとも１つであり、
前記内部電子供与体Ｂが、エステル、エーテル、ケトン及びアミンからなる群より選択される少なくとも１つである、請求項１から１４のいずれか一項に記載の触媒成分の調製方法。
【請求項１６】
マグネシウム１モルあたりに換算して、前記内部電子供与体Ａの添加量が０．００１molから１０molの範囲であり、及び／又は前記内部電子供与体Ｂの添加量が０．０１molから１０molの範囲である、請求項１５に記載の方法。
【請求項１７】
マグネシウム１モルあたりに換算して、前記内部電子供与体Ａの添加量が０．００１molから５molの範囲であり、及び／又は前記内部電子供与体Ｂの添加量が０．０１molから５molの範囲である、請求項１５に記載の方法。
【請求項１８】
マグネシウム１モルあたりに換算して、前記内部電子供与体Ａの添加量が０．０１molから３molの範囲であり、及び／又は前記内部電子供与体Ｂの添加量が０．０１molから３molの範囲である、請求項１５に記載の方法。
【請求項１９】
以下の成分：
ａ）請求項１から１４のいずれか一項に記載の触媒成分及び／又は請求項１５〜１８のいずれか一項に記載の方法によって調製した触媒成分、
ｂ）有機アルミニウム化合物並びに
ｃ）任意選択的に、有機ケイ素化合物
の反応生成物を含む、プロペン重合に使用する触媒。
【請求項２０】
アルミニウム対チタンの比で計算した、前記有機アルミニウム化合物ｂ）対前記触媒成分ａ）のモル比が１０：１から８００：１の範囲であり、及び／又はケイ素対チタンの比で計算した、前記有機ケイ素化合物ｃ）対前記触媒成分ａ）のモル比が、０：１から１００：１の範囲である、請求項１９に記載の触媒。
【請求項２１】
請求項１から１４のいずれか一項に記載の触媒成分及び／又は請求項１５〜１８のいずれか一項に記載の方法によって調製した触媒成分を用いたプロペンの予備重合によって得たプレポリマーを含む、プロペン重合に使用される予備重合触媒。
【請求項２２】
請求項１から１４のいずれか一項に記載の触媒成分、請求項１５〜１８のいずれか一項に記載の方法によって調製した触媒成分、請求項１９若しくは２０に記載の触媒、又は請求項２１に記載の予備重合触媒の存在下で行うプロペンの重合工程を含み、前記重合にはホモ重合及び共重合が含まれる、プロペン重合の方法。
【誤訳訂正２】
【訂正対象書類名】明細書
【訂正対象項目名】０２０３
【訂正方法】変更
【訂正の内容】
【０２０３】
比較例２
比較例２の工程は、水素ガスの添加量を７．２NLに変更することを除いて、本グループの比較例１の工程と同じであった。結果は表５を参照のこと。